【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
画像が形成されるシートを収納し、装置本体にスライド移動できるように支持された収納部と、
前記装置本体に設けられ、前記収納部のスライド移動を案内する上下方向で対向した一対のガイドレールと、
前記収納部に設けられ、前記一対のガイドレールの間で前記一対のガイドレールにガイドされるガイド部と、
前記ガイド部に設けられ、上方へ突出する第１の突部と下方へ突出する第２の突部と、を備えた係合部と、
前記一対のガイドレールのうちの一方のガイドレールから、他方のガイドレールの方へ突出し、前記第一の突部又は前記第二の突部の一方と当接可能な第１のストッパーと、
前記他方のガイドレールから、前記一方のガイドレールの方へ突出し、前記第一の突部又は前記第二の突部の他方と当接可能な第２のストッパーと、を備え、
前記収納部の前記装置本体からの取り外しが前記第１、第２のストッパーと前記係合部との当接によって規制されるシート収納装置であって、
前記第１のストッパーは、前記第２のストッパーとの間の距離が前記係合部の上下方向での厚さよりも小さい、前記装置本体からの前記収納部の取り外しを規制する位置から、前記第２のストッパーとの間の距離が前記係合部の厚さよりも大きい、前記装置本体からの前記収納部の取り外しを可能とする位置に、移動できることを特徴とするシート収納装置。
【請求項２】
前記第１のストッパーを移動させるときに操作する、前記第１のストッパーと連結された操作部を備えることを特徴とする請求項１に記載のシート収納装置。
【請求項３】
前記一対のガイドレールと、前記一対のガイドレールを繋ぐ側面部と、を有し、断面が略コの字に形成されたガイドユニットを備え、
前記操作部は、前記略コの字に形成されたガイドユニットの外側に設けられることを特徴とする請求項２に記載のシート収納装置。
【請求項４】
前記操作部が、前記側面部に設けた開口から前記ガイドユニットの外側に延設されていることを特徴とする請求項３に記載のシート収納装置。
【請求項５】
前記操作部が、前記一対のガイドレールの一方に形成された開口から前記ガイドユニットの外側に延設されていることを特徴とする請求項３に記載のシート収納装置。
【請求項６】
前記操作部には、前記装置本体からの取り外しを規制する位置で前記第１のストッパーを固定する固定部材が設けられることを特徴とする請求項２乃至５のいずれかに記載のシート収納装置。
【請求項７】
前記固定部材は、前記第１のストッパーと前記装置本体との間に配置されるねじであることを特徴とする請求項６に記載のシート収納装置。
【請求項８】
前記ねじを回転させることで、前記装置本体からの、前記収納部の取り外しを規制する位置から、前記装置本体からの前記収納部の取り外しを可能とする位置へ、前記第１のストッパーが移動することを特徴とする請求項７に記載のシート収納装置。
【請求項９】
前記操作部は、前記収納部を引き出す方向から操作できるように設けられることを特徴とする請求項２乃至８のいずれか１項に記載のシート収納装置。
【請求項１０】
前記第１のストッパーは、
前記第１のストッパーと前記第２のストッパーとの間の距離が前記係合部の上下方向での厚さよりも小さい、前記装置本体からの前記収納部の取り外しを規制する位置から、
前記第１のストッパーと前記第２のストッパーとの間の距離が前記係合部の厚さよりも大きい、前記装置本体からの前記収納部の取り外しを可能とする位置に、スライド方向に移動可能であることを特徴とする請求項１乃至９のいずれか１項に記載のシート収納装置。
【請求項１１】
画像が形成されるシートを収納し、取り外し可能に装置本体に装着される収納部と、
前記装置本体に設けられ、前記収納部の引き出しを案内する一対のガイドレールと、
前記収納部に設けられ、前記一対のガイドレールの間で前記一対のガイドレールによってガイドされガイド部と、
前記一対のガイドレールのうちの一方のガイドレールに、他方のガイドレールの方へ突出するように設けられた第１のストッパーと、
前記他方のガイドレールに、前記一方のガイドレールの方へ突出するように設けられた第２のストッパーと、
前記収納部が前記装置本体から取り外されるのを規制するように、前記第１のストッパーおよび前記第２のストッパーと当接する、前記ガイド部に上方と下方に突設された一対の突部と
前記第１のストッパーを固定するとともに、回転されることで前記第１のストッパーを、前記収納部の引き出し方向に沿って移動させるねじと、
を有することを特徴とするシート収納装置。
【請求項１２】
前記一対のガイドレールと、前記一対のガイドレールを繋ぐ側面部と、を有し、断面が略コの字に形成されたガイドユニットを備え、
前記第１のストッパーと連結され、前記ガイドユニットに形成された開口から前記ガイドユニットの外側に延設され、前記第１のストッパーを固定するために前記ねじによって締結される締結部を備えることを特徴とする請求項１１に記載のシート収納装置。
【請求項１３】
請求項１乃至１２のいずれか１項に記載のシート収納装置と、
前記シート収納装置から搬送されたシートに対して画像形成を行う画像形成部と、
を備えることを特徴とする画像形成装置。
【手続補正２】
【補正対象書類名】明細書
【補正対象項目名】発明の名称
【補正方法】変更
【補正の内容】
【発明の名称】シート収納装置及び画像形成装置
【手続補正３】
【補正対象書類名】明細書
【補正対象項目名】０００７
【補正方法】変更
【補正の内容】
【０００７】
本発明は、収納部としての収納カセットのユーザーが意図せずに外れてしまうことを防止することを目的とする。
【手続補正４】
【補正対象書類名】明細書
【補正対象項目名】０００８
【補正方法】変更
【補正の内容】
【０００８】
本発明のシート収納装置は、画像が形成されるシートを収納し、装置本体にスライド移動できるように支持された収納部と、前記装置本体に設けられ、前記収納部のスライド移動を案内する上下方向で対向した一対のガイドレールと、前記収納部に設けられ、前記一対のガイドレールの間で前記一対のガイドレールにガイドされるガイド部と、前記ガイド部に設けられ、上方へ突出する第１の突部と下方へ突出する第２の突部と、を備えた係合部と、前記一対のガイドレールのうちの一方のガイドレールから、他方のガイドレールの方へ突出し、前記第一の突部又は前記第二の突部の一方と当接可能な第１のストッパーと、
前記他方のガイドレールから、前記一方のガイドレールの方へ突出し、前記第一の突部又は前記第二の突部の他方と当接可能な第２のストッパーと、を備え、前記収納部の前記装置本体からの取り外しが前記第１、第２のストッパーと前記係合部との当接によって規制されるシート収納装置であって、前記第１のストッパーは、前記第２のストッパーとの間の距離が前記係合部の上下方向での厚さよりも小さい、前記装置本体からの前記収納部の取り外しを規制する位置から、前記第２のストッパーとの間の距離が前記係合部の厚さよりも大きい、前記装置本体からの前記収納部の取り外しを可能とする位置に、移動できることを特徴とする。
【手続補正５】
【補正対象書類名】明細書
【補正対象項目名】０００９
【補正方法】変更
【補正の内容】
【０００９】
本発明では、ユーザーが意図せずに収納部が外れてしまうことを防止することができる。